(57)【要約】【課題】利用者によるセットアップ作業が容易である電気機器を得る。【解決手段】このリモコン送信機１０は、テレビジョン受像機本体１００のセットアップ作業を行うための指示を、表示部１７で行う。すなわち、セットアップ作業を説明する画像を表示部１７で表示する。特に、アンテナやケーブル等の配線が接続される部分の画像を表示する。リモコン送信機１０は取扱説明書におけるセットアップ作業の説明を対話形式により行う。少なくとも電気機器本体の利用を可能とするためのセットアップ作業を説明する任意の画像を表示させる。【選択図】図２
2009094764.tif 000002
【特許請求の範囲】
【請求項１】
画像を表示する表示部を具備し、電気機器本体を遠隔操作するリモコン送信機であって、
少なくとも前記電気機器本体の利用を可能とするためのセットアップ作業を説明する画像を前記表示部において表示させる制御部を具備することを特徴とするリモコン送信機。
【請求項２】
前記セットアップ作業を説明する画像には、前記電気機器本体に配線が接続される部分の画像が含まれることを特徴とする請求項１に記載のリモコン送信機。
【請求項３】
前記リモコン送信機は、
前記電気機器本体と双方向通信を行う送受信部を具備し、
前記制御部は、前記送受信部が前記電気機器本体からエラー信号を受信した際に、前記セットアップ作業を説明する画像を前記表示部に表示させることを特徴とする請求項１または２に記載のリモコン送信機。
【請求項４】
請求項１から請求項３までのいずれか１項に記載のリモコン送信機と、前記電気機器本体とからなることを特徴とする電気機器。
【請求項５】
前記電気機器本体はテレビジョン受像機であることを特徴とする請求項４に記載の電気機器。
【請求項６】
電気機器本体を遠隔操作するリモコン送信機を用いた電気機器のセットアップ指示方法であって、
前記リモコン送信機が具備する表示部に、少なくとも前記電気機器本体の利用を可能とするためのセットアップ作業を説明する画像を表示させることを特徴とする、電気機器のセットアップ指示方法。
【請求項７】
前記セットアップ作業を説明する画像には、前記電気機器本体に配線が接続される部分の画像が含まれることを特徴とする請求項６に記載の電気機器のセットアップ指示方法。
【請求項８】
前記リモコン送信機が前記電気機器本体からエラー信号を受信した際に、前記セットアップ作業を説明する画像を前記表示部に表示することを特徴とする請求項６または７に記載の電気機器のセットアップ指示方法。
【発明の詳細な説明】
【技術分野】
【０００１】
本発明は、電気機器を遠隔操作するリモコン送信機、及びこれを用いた電気機器、この電気機器のセットアップを利用者に指示する電気機器のセットアップ指示方法に関する。
【背景技術】
【０００２】
家庭内で用いられる電気機器、例えばテレビジョン受像機は多機能化が進み、１台のテレビジョン受像機において、地上波テレビジョン放送の受信、衛星波テレビジョン放送の受信、ビデオデープ、ＤＶＤ、ハードディスク等への録画や再生機能、ネットワークへの接続機能等が行われる場合もある。こうした多機能化に合わせて、その操作内容も複雑になっている。
【０００３】
一方、テレビジョン受像機の操作は、利用者がリモコン送信機を用いることによって行われる場合が多い。リモコン送信機は、片手で操作できる程度の大きさであるため、操作キーの数は２０個程度以下に限定され、この限られた操作キーを用いて多くの機能に関わる操作を行う必要がある。
【０００４】
この点を使いやすくした技術として、特許文献１には、リモコン送信機の表面に、大面積でかつ見易い、例えば液晶ディスプレイ等からなる表示部を設け、この表示部によって操作方法を説明するシステムが記載されている。これによって、利用者はこの表示部を見ながらその操作を容易に行うことができた。
【０００５】
このようにして、多機能化が進んだ電気機器を容易に制御できるリモコン送信機が得られた。
【特許文献１】特開２００５−２１０５９８号公報
【発明の開示】
【発明が解決しようとする課題】
【０００６】
しかしながら、電気機器の多機能化に伴って複雑になるのは、その操作だけではない。特に利用者にとって煩雑な作業となるのは、電気機器のセットアップ作業である。例えば、多機能のテレビジョン受像機のセットアップ作業においては、各信号に対応したアンテナ線の接続、各種ケーブルの接続等の作業が必要になる。これらの作業は、販売店の出張サービスによって行われる場合もある。しかしながら、近年は通信販売によってこれらの電気機器も購入できるようになり、その場合にはこうした作業は利用者自身が行う必要があるが、利用者の中には購入した電気機器についての技術的知識が乏しい人間も多い。
【０００７】
この場合、利用者は取扱説明書を読みながらこれらの作業を行う。ところが、電気機器の多機能化に伴って、取扱説明書の頁数も増え、所望の内容が記載された箇所を探すことが困難となっている。また、取扱説明書には、電気機器において利用者が接続等の作業をする部分が図面や写真で記載されているが、図面等と実際の部分との対応が明確ではない場合もあり、これらの作業を利用者が単独で簡単に行うことはできなかった。
【０００８】
従って、特に利用者によるセットアップ作業が容易である電気機器を得ることは困難であった。
【０００９】
本発明は、斯かる問題点に鑑みてなされたものであり、上記問題点を解決する発明を提供することを目的とする。
【課題を解決するための手段】
【００１０】
本発明は、上記課題を解決すべく、以下に掲げる構成とした。
本発明のリモコン送信機は、画像を表示する表示部を具備し、電気機器本体を遠隔操作するリモコン送信機であって、少なくとも前記電気機器本体の利用を可能とするためのセットアップ作業を説明する画像を前記表示部において表示させる制御部を具備することを特徴とする。
本発明のリモコン送信機において、前記セットアップ作業を説明する画像には、前記電気機器本体に配線が接続される部分の画像が含まれることを特徴とする。
本発明のリモコン送信機は、前記電気機器本体と双方向通信を行う送受信部を具備し、前記制御部は、前記送受信部が前記電気機器本体からエラー信号を受信した際に、前記セットアップ作業を説明する画像を前記表示部に表示させることを特徴とする。
本発明の電気機器は、前記リモコン送信機と、前記電気機器本体とからなることを特徴とする。
本発明の前記電気機器本体はテレビジョン受像機であることを特徴とする。
本発明の電気機器のセットアップ指示方法は、電気機器本体を遠隔操作するリモコン送信機を用いた電気機器のセットアップ指示方法であって、前記リモコン送信機が具備する表示部に、少なくとも前記電気機器本体の利用を可能とするためのセットアップ作業を説明する画像を表示させることを特徴とする。
本発明の電気機器のセットアップ指示方法において、前記セットアップ作業を説明する画像には、前記電気機器本体に配線が接続される部分の画像が含まれることを特徴とする。
本発明の電気機器のセットアップ指示方法は、前記リモコン送信機が前記電気機器本体からエラー信号を受信した際に、前記セットアップ作業を説明する画像を前記表示部に表示することを特徴とする。
【発明の効果】
【００１１】
本発明によれば、少なくとも電気機器本体の利用を可能とするためのセットアップ作業を説明する画像を、リモコン送信機の表示部において表示させるようにしたので、特に利用者によるセットアップ作業が容易である電気機器を得ることができる。
【発明を実施するための最良の形態】
【００１２】
以下、本発明を実施するための最良の形態について説明する。本発明の電気機器は、リモコン送信機と、これにより制御される電気機器本体とからなる。以下ではこの電気機器本体がテレビジョン受像機である場合につき説明する。
【００１３】
図１は本発明の実施の形態に係る電気機器の構成を示す図である。この電気機器は、双方向通信を行うテレビジョン受像機本体１００とリモコン送信機１０とから構成される。また、図２はこのリモコン送信機１０の外観及びその表示画面を示す図である。
【００１４】
このリモコン送信機１０は、テレビジョン受像機本体１００にこれを制御するための制御信号を送信し、かつテレビジョン受像機本体１００から、その状態を知らせる信号を受信する、双方向通信を行う。この通信は無線（例えば赤外線）で行われる。
【００１５】
テレビジョン受像機本体１００の制御を行うに当たっては、利用者はリモコン送信機１０の表面に設けられた複数の操作キーのいずれかを操作する。複数の操作キーに接続されたキー入力部１１は、どの操作キーが操作されたかを認識し、これに対応する信号を制御部１２に出力する。制御部１２は例えばマイクロコンピュータで構成され、この信号に基づいて、テレビジョン受像機本体１００を制御する制御信号を生成し、送受信部１３はこの制御信号で赤外線を変調した信号を発信する。制御部１２がこの制御信号を生成する際には、ＲＯＭ（Ｒｅａｄ  Ｏｎｌｙ  Ｍｅｍｏｒｙ）１４、メモリ１５が参照される。このうち、ＲＯＭ１４には予め定められた情報が記憶され、メモリ１５には制御部１２による書き換えが頻繁に必要となる情報が記憶される。メモリ１５は電源が切断されても記憶内容が保持される不揮発性メモリ、例えばフラッシュメモリで構成される。また、テレビジョン受像機本体１００からの信号を受信する際には、送受信部１３がこれを受信し、これを復調した信号を制御部１２はデコード部１６に出力し、受信した信号の内容を制御部１２は解読する。また、このリモコン送信機１０は、文字、図形、写真等の画像を表示できる表示部１７を有する。表示部１７は例えば液晶ディスプレイであり、ここで表示される画像データは、制御部１２により選択される。
【００１６】
このテレビジョン受像機本体１００は、放送用電波を受信し、これを復調して映像・音声信号を生成してテレビジョン放送を利用者に視聴させたり、外部入力端子から入力された信号によって他の機器（例えばビデオデッキ）からの映像等を表示する。信号切替部１０１は、映像・音声信号を復調したり、これらの信号を映像信号と音声信号とに分ける。映像信号は、映像出力部１０２で処理され、ディスプレイ１０３で映像が表示される。ディスプレイ１０３は例えば大型の液晶表示画面である。音声信号は、音声出力部１０４で処理されてスピーカ１０５で出力される。本体制御部１０６はマイクロコンピュータ等で構成され、本体キー入力部１０７の操作に応じて、信号切替部１０１や映像出力部１０２等の動作を制御する。また、本体送受信部１０８は、リモコン送信機１０から発された赤外線信号を受信し、制御信号を復調してこれを本体制御部１０６に出力し、本体制御部１０６はこれによっても信号切替部１０１や映像出力部１０２等の制御を行う。また、本体制御部１０６は、テレビジョン受像機本体１００の現在のステータスを表す信号を生成し、これを本体送受信部１０８に出力し、本体送受信部１０８は赤外線をこの信号を変調して、リモコン送信機１０に発する。
【００１７】
ここで、このリモコン送信機１０は、テレビジョン受像機本体１００のセットアップ作業を行うための指示を、表示部１７で行う。すなわち、セットアップ作業を説明する画像を表示部１７で表示する。特に、アンテナやケーブル等の配線が接続される部分の画像を表示する。
【００１８】
このリモコン送信機１０がセットアップ作業の際に用いられる場合の動作について以下に説明する。ここで、セットアップ作業の内容としては、テレビジョン受像機本体１００におけるアンテナ線の接続と、ケーブルの接続である。図３はセットアップの際の動作（セットアップ指示方法）を示すフロー図である。
【００１９】
まず、制御部１２は、表示部１７に、接続ガイド画面を表示させるか否かの選択画面を表示させる（Ｓ１）。この画面の例を図４（ａ）に示す。利用者が接続ガイド画面の表示を望まない場合（この画面において「いいえ」が入力された場合）は、処理は終了となる。
【００２０】
利用者が「はい」を選択した場合には、制御部１２は「アンテナ線の接続」と「ケーブルの接続」のどちらかを選択するかを、図４（ａ）と同様に表示させる（Ｓ２）。利用者が「アンテナ線の接続」を選択した場合、接続されるべきアンテナ線が個別アンテナか、個別アンテナ以外（共同アンテナ等）であるかの選択画面を例えば図４（ｂ）の通りに表示させる（Ｓ３）。特にここでは、アンテナ線の種類がＵＨＦ帯用、ＶＨＦ用、ＢＳ用の３種類あることも画像で示している。
【００２１】
個別アンテナであることを利用者が選択した場合には、各個別アンテナについての説明を表示部１７で行う（Ｓ４）。ここでは、ＵＨＦ帯用、ＶＨＦ用、ＢＳ用アンテナについての更に詳細な説明を行う。その後、各アンテナ線の接続を行う指示画面を例えば図４（ｃ）の通りに表示部１７に表示させる（Ｓ５）。特にここでは、テレビジョン受像機本体１００におけるアンテナ接続部の図が詳細に表示されているため、利用者はこの画面を見ながら詳細にこの接続作業を容易に行うことができる。特に、この画面を携帯が容易なリモコン送信機１０における表示部１７で表示させているため、利用者はこの画面を見ながら実際の接続操作を容易に行うことができる。
【００２２】
個別アンテナ以外を利用者が選択した場合（Ｓ３）には、同様にして、例えば共同アンテナの説明をし、これを接続する指示を表示部１７に表示する（Ｓ６）。ここでも、図４（ｃ）同様に、アンテナ接続部の図が詳細に表示され、利用者はこれを見ながらこの接続作業を容易に行うことができる。以上により、セットアップ作業のうち、「アンテナ線の接続」に関する作業は終了する。
【００２３】
利用者が「ケーブルの接続」を選択した場合（Ｓ２）、制御部１２は表示部１７に、例えば図４（ｄ）に示すように、接続に用いるケーブルを図面を用いて表示させる（Ｓ７）。利用者はこの画面を見て、必要なケーブルを手元に持ってくることができる。特に、この画面を携帯が容易なリモコン送信機１０における表示部１７で表示させているため、利用者はこの画面を見ながらケーブルの選別を容易に行うことができる。
【００２４】
次に、制御部１２は表示部１７に、Ｓ映像端子の接続（Ｓ８）、Ｄ映像端子の接続（Ｓ９）、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子の接続（Ｓ１０）の指示画面を順次表示させる。これらの表示画面は、図４（ｃ）と同様に行うことができる。すなわち、この作業も利用者が容易に行うことができる。以上により、「ケーブル線の接続」に関する作業は終了する。
【００２５】
次に、「アンテナ線の接続」又は「ケーブルの接続」に関する作業が終了したら、制御部１２は表示部１７にＤＶＤの入力端子の接続を指示する画面を表示させる（Ｓ１１）。また、ＴＶの入力端子の接続を指示する画面も同様に表示させる（Ｓ１２）。
【００２６】
図４（ａ）〜（ｄ）の表示画面の画像データは、リモコン送信機１０におけるメモリ１５が記憶し、制御部１２がメモリ１５からこれらの画像データを読み出し、利用者による「はい」「いいえ」等の選択に応じて表示部１７に表示させる。従って、リモコン送信機１０は取扱説明書におけるセットアップ作業の説明を対話形式により行っていることになる。なお、上記の画像データはＲＯＭ１４に記憶させていてもよい。
【００２７】
以上の動作により、利用者はこのテレビジョン受像機本体１００のセットアップ作業を特に容易に行うことができる。図４（ａ）〜（ｄ）の画面はテレビジョン受像機本体１００のディスプレイ１０３で表示することもできるが、その場合は、例えば各種ケーブルの接続部分がディスプレイ１０３の裏側にある場合には、利用者がこれらの画面を見ながら接続操作を行うことができない。これに対して、このリモコン送信機１０を用いた場合には、利用者は接続部分の場所に関わらず、利用者はこれらの画面を見ながら接続操作を行うことができる。
【００２８】
なお、利用者がセットアップ作業を行う際に有益な情報であれば、配線が接続される部分の画像以外の情報であっても、これを同様に表示部１７に表示させることができる。すなわち、少なくとも電気機器本体の利用を可能とするためのセットアップ作業を説明する任意の画像を表示させることができる。
【００２９】
また、接続作業に関わりなくテレビジョン放送を視聴できる場合、例えば、ＶＨＦ帯の接続は終了しているためにＶＨＦ帯のテレビジョン放送は視聴できる状態で、ＢＳ放送用のケーブルの接続を行う場合もある。この場合に、テレビジョン受像機本体１００のディスプレイ１０３でＶＨＦ帯のテレビジョン放送を視聴させながら、表示部１７に図４（ａ）〜（ｄ）の画面を表示することができる。
【００３０】
なお、図４（ａ）〜（ｄ）では、このテレビジョン受像機本体１００が受信するのは、ＵＨＦ帯、ＶＨＦ、ＢＳの３種類であるとしたが、他にもＣＳ、ＣＡＴＶ等の入力接続も同様に行うことができる。
【００３１】
ただし、この代わりに、テレビジョン受像機本体１００にメモリを設け、このメモリがこれらの画像データを記憶し、本体送受信部１０８にこれらの画像データを送信させ、リモコン送信機１０（送受信部１３）がこれを受信することにより同様の動作を行う設定としてもよい。
【００３２】
また、このリモコン送信機１０とテレビジョン受像機本体１００とは双方向通信を行うため、リモコン送信機１０はテレビジョン受像機本体１００の動作状況に関する情報を入手できる。この情報に基づいて、利用者に対して適切な指示を行うこともできる。
【００３３】
図５は、この動作を示すフロー図である。ここで、Ｓ１〜Ｓ１２の工程は図３と同様である。この場合には、テレビジョン受像機本体１００における本体制御部１０６は、利用者による操作が行われた際（Ｓ２１）に、動作エラーが生じたか否かを判定する（Ｓ２２）。この判定は本体制御部１０６が信号切替部１０１や映像出力部１０２等を参照して行い、本体送受信部１０８はエラー信号を発する。ここで、動作エラーとは、利用者の操作が行われたのに、接続が不完全であるために所望の動作が行われない場合を示す。例えば、ケーブルの接続が不完全であるために、映像信号が入力していない場合等である。一例として、ＣＳ放送を利用者が選択したが、ＣＳ放送のアンテナが接続されていない場合につき説明する。ここで、ＣＳ放送が選択されたにも関わらず信号切替部１０１又は映像出力部１０２が映像信号を認識できなかった場合、本体制御部１０６はＣＳ放送用ケーブルの接続が不完全である（接続されていない）と認識し、本体送受信部１０８にエラー信号を発信させる。リモコン送信機１０（送受信部１３）はこれを受信し、制御部１２は図４（ｅ）に示す画面を表示部１７に表示させる（Ｓ１）。利用者は、この画面を見て、ＣＳ放送用アンテナが接続されていないことを認識し、「はい」を選択することにより、Ｓ２以降の工程が行われ、図３と同様に接続作業を行うことができる。
【００３４】
あるいは、動作エラーの内容によって異なるエラー信号を本体送受信部１０８に発信させ、送受信部１３がこれを受信した場合、制御部１２は動作エラーの内容、すなわち、どの接続が不完全であるかを認識することができる。この場合、Ｓ２、Ｓ３の判定を制御部１２が自動的に行い、ＣＳ放送用アンテナを接続する工程のみを実行させることもできる。
【００３５】
また、図５のフロー図においては、動作においてエラーが発生した場合に接続ガイド画面を表示させているが、例えば、本体制御部１０６に全ての接続をチェックさせるルーチンを実行させることもできる。この場合、接続が不完全である箇所が見つかった場合、当該箇所に対応するエラー信号を本体送受信部１０８に発信させ、送受信部１３はこれを受信し、制御部１２が以降の接続作業を指示する画面を表示部１７に表示させる。接続が不完全であった箇所が複数あれば、全ての箇所の接続が完全になされるまで、図５の工程を繰り返してもよい。
【００３６】
以上のように、このリモコン送信機１０とテレビジョン受像機本体１００は双方向通信を行うことにより、セットアップが不完全であった場合に、これを検出し、その接続を行う指示を表示部１７によって利用者に適切に与えることができる。
【００３７】
これらの間の双方向通信は、具体的には、Ｉｒ−Ｓｉｍｐｌｅ（登録商標）やＢｌｕｅｔｏｏｔｈ（登録商標）を用いて行うことができる。
【００３８】
以上の実施の形態においては、リモコン送信機１０とテレビジョン受像機本体１００は双方向通信を行っていたが、リモコン送信機１０からテレビジョン受像機本体１００への片方向通信としてもよい。この場合、図１における送受信部１３の機能を送信のみとした「送信部」とし、本体送受信部１０８の機能を受信のみとした「本体受信部」とすればよい。
【００３９】
片方向通信とした場合には、図５のフロー図におけるＳ２１、Ｓ２２の工程は行えなくなるが、セットアップ作業の際には、テレビジョン受像機本体が動作している必要はない。従って、リモコン送信機１０のみを用いてテレビジョン受像機本体１００のセットアップ作業を行うことができる。
【００４０】
あるいは、送受信部１３及び本体送受信部１０８は具備していても、テレビジョン受像機本体１００の電源が入っていない場合には、制御部１２が自動的に図３のフロー図のみを行う設定としてもよい。
【００４１】
なお、上記の形態においては、リモコン送信機とテレビジョン受像機本体とを組み合わせた電気機器につき説明したが、これに限られるものではない。例えば、エアコン、ＤＶＤプレーヤー等、リモコン送信機を用いて制御される電気機器であれば、任意に用いることができる。例えば、ＤＶＤプレーヤーに対してアンテナ線の入力及び出力の接続を指示する場合には、図４（ｆ）の表示をリモコン送信機の表示部で表示させることができる。特に、機能が豊富であり、配線の接続箇所が多い電気機器において、そのセットアップ作業を容易に行うことができる。
【図面の簡単な説明】
【００４２】
【図１】本発明の実施の形態となる電気機器の構成を示す図である。
【図２】本発明の実施の形態となるリモコン送信機の外観を示す図である。
【図３】本発明の実施の形態となる電気機器のセットアップ指示方法を示すフロー図の一例である。
【図４】本発明の実施の形態となるリモコン送信機の表示部に表示される画像の例である。
【図５】本発明の実施の形態となる電気機器のセットアップ指示方法を示すフロー図の他の一例である。
【符号の説明】
【００４３】
１０  リモコン送信機
１１  キー入力部
１２  制御部
１３  送受信部
１４  ＲＯＭ
１５  メモリ
１６  デコード部
１７  表示部
１００  テレビジョン受像機本体
１０１  信号切替部
１０２  映像出力部
１０３  ディスプレイ
１０４  音声出力部
１０５  スピーカ
１０６  本体制御部
１０７  本体キー入力部
１０８  本体送受信部
【図１】
2009094764.tif 000003
【図３】
2009094764.tif 000004
【図５】
2009094764.tif 000005
【図２】
2009094764.tif 000006
【図４】
2009094764.tif 000007